(57)【要約】【課題】薄型化を維持しつつ、強度向上を図ることができる電子機器を得る。【解決手段】一つの実施形態に係る電子機器は、キーボードと、開口部が設けられ、前記キーボードが載置された支持壁を含む筐体と、前記筐体に収容され、前記キーボードとは反対側から前記開口部に挿入され、前記支持壁の表面と略同一平面上に位置して前記キーボードに対向した表面を有し、前記キーボードが載置された部分を備えた補強部材とを具備した。【選択図】      図７
2011138554.tif 000002
【特許請求の範囲】
【請求項１】
キーボードと、
開口部が設けられ、前記キーボードが載置された支持壁を含む第１の筐体と、
第２の筐体と連結されたヒンジと、
前記第１の筐体に収容され、前記ヒンジが固定された固定部と、前記第１の筐体の厚み方向に延びた第１の部分と、この第１の部分に支持されて前記キーボードとは反対側から前記開口部に挿入され、前記支持壁の表面と略同一平面上に位置して前記キーボードに対向した表面を有し、前記キーボードが載置された第２の部分とを備えた補強部材と、
を具備したことを特徴とする電子機器。
【請求項２】
請求項１の記載において、
前記固定部は、前記第１の筐体に固定され、前記第１の部分は、前記第１の筐体の中で板状に延び、前記補強部材は、前記第１の筐体の内面に沿って延びて前記固定部と前記第１の部分との間を板状に繋ぐ第３の部分を有したことを特徴とする電子機器。
【請求項３】
請求項１の記載において、
前記第１の筐体は、前記開口部及び前記支持壁が設けられた第１壁と、この第１壁と離間された第２壁とを有し、
前記補強部材の固定部は、前記第２壁に固定され、前記第１の部分は、前記第２壁から前記第１壁に向けて延びたことを特徴とする電子機器。
【請求項４】
請求項３の記載において、
前記補強部材は、前記固定部と前記第１の部分との間に設けられてスピーカが載置されたスピーカ保持部を有し、このスピーカ保持部は、前記第２壁に沿って板状に延びて前記固定部と前記第１の部分との間を繋ぎ、前記第１の部分は、前記第１の筐体の中を板状に延び、前記第２の部分が前記第１の部分及び前記スピーカ保持部を介して前記固定部に支持されたことを特徴とする電子機器。
【請求項５】
請求項１の記載において、
前記補強部材は、前記第２の部分の端部から前記第１の筐体内側に延び、前記キーボードとは反対側から前記支持壁の端部を支持した壁支持部を有したことを特徴とする電子機器。
【請求項６】
請求項５の記載において、
前記支持壁の端部は、前記壁支持部にねじ止めされたことを特徴とする電子機器。
【請求項７】
キーボードと、
開口部が設けられ、前記キーボードに少なくとも一部が覆われた支持壁を含む第１の筐体と、
第２の筐体と連結されたヒンジと、
前記第１の筐体に収容され、前記ヒンジが固定された固定部と、前記キーボードとは反対側から前記開口部に挿入されて前記支持壁とは異なる位置で前記キーボードを支持可能な部分とを備えた補強部材と、
を具備したことを特徴とする電子機器。
【請求項８】
請求項７の記載において、
前記第１の筐体に収容された冷却装置を備え、
前記補強部材の一部は、前記キーボードと前記冷却装置との間に延びた部分を有し、この部分の少なくとも一部は前記開口部に挿入され、前記冷却装置との間に隙間を空けたことを特徴とする電子機器。
【請求項９】
キーボードと、
開口部が設けられ、前記キーボードが載置された支持壁を含む筐体と、
前記筐体内に少なくとも一部が収容され、外部部品と接続される接続部品と、
前記筐体に収容され、前記キーボードとは反対側から前記開口部に挿入され、前記支持壁の表面と略同一平面上に位置して前記キーボードに対向した表面を有し、前記キーボードが載置された部分と、前記接続部品が支持された支持部と、を備えた補強部材と、
を具備したことを特徴とする電子機器。
【請求項１０】
キーボードと、
開口部が設けられ、前記キーボードが載置された支持壁を含む筐体と、
前記筐体に収容され、前記キーボードとは反対側から前記開口部に挿入され、前記支持壁の表面と略同一平面上に位置して前記キーボードに対向した表面を有し、前記キーボードが載置された部分を備えた補強部材と、
を具備したことを特徴とする電子機器。
【発明の詳細な説明】
【技術分野】
【０００１】
本発明は、補強部材を有した電子機器に関する。
【背景技術】
【０００２】
ノートＰＣのような電子機器は、補強部材を備えることがある。特許文献１は、金属製のベースプレートを備えた電子機器を開示している。ベースプレートは、ダイカスト部品である。表示ユニットに連結されたヒンジは、ベースプレートに固定されている。
【先行技術文献】
【特許文献】
【０００３】
【特許文献１】特開２００３−８７３７８号公報
【発明の概要】
【発明が解決しようとする課題】
【０００４】
ところで近年、電子機器の薄型化がさらに要望されている。特許文献１のベースプレートは、ヒンジおよびスピーカを保持するものであり、電子機器の薄型化について考慮されていない。
【０００５】
本発明の目的は、薄型化を維持しつつ、強度向上を図ることができる電子機器を得ることにある。
【課題を解決するための手段】
【０００６】
本発明の一つの形態に係る電子機器は、キーボードと、開口部が設けられ、前記キーボードが載置された支持壁を含む筐体と、前記筐体に収容され、前記キーボードとは反対側から前記開口部に挿入され、前記支持壁の表面と略同一平面上に位置して前記キーボードに対向した表面を有し、前記キーボードが載置された部分を備えた補強部材とを具備した。
【発明の効果】
【０００７】
本発明によれば、薄型化を維持しつつ、強度向上を図ることができる。
【図面の簡単な説明】
【０００８】
【図１】本発明のひとつの実施形態に係る電子機器の斜視図。
【図２】図１中に示された電子機器の本体カバーの平面図。
【図３】図１中に示された電子機器の本体筐体の内部の平面図。
【図４】図３中に示された第１のダイカストフレームを示す平面図。
【図５】図４中に示された第１のダイカストフレームを示す斜視図。
【図６】図４中に示されたヒンジ固定部を示す斜視図。
【図７】図４中に示された第１のダイカストフレームのＦ７−Ｆ７線に沿う断面図。
【図８】図４中に示された第１のダイカストフレームのＦ８−Ｆ８線に沿う断面図。
【図９】図３中に示された第２のダイカストフレームを示す平面図。
【図１０】図９中に示された第２のダイカストフレームを示す斜視図。
【図１１】図９中に示されたヒンジ固定部を示す斜視図。
【図１２】図９中に示された第２のダイカストフレームのＦ１２−Ｆ１２線に沿う断面図。
【図１３】図９中に示された第２のダイカストフレームのＦ１３−Ｆ１３線に沿う断面図。
【図１４】図２中に示された本体カバーに第１および第２のダイカストフレームを組み合わせた状態を示す平面図。
【発明を実施するための形態】
【０００９】
以下に本発明の実施の形態を、ノートブック型パーソナルコンピュータ（以下、ノートＰＣ）に適用した図面に基づいて説明する。
【００１０】
（第１の実施形態）  
図１乃至図１４は、本発明のひとつの実施形態に係る電子機器１を開示している。電子機器１は、例えばノートＰＣである。なお本発明が適用可能な電子機器は、上記に限定されるものではない。本発明は、例えばＰＤＡ(Personal digital Assistant)やゲーム機などを含む種々の電子機器に広く適用可能である。
【００１１】
図１に示すように、電子機器１は、本体ユニット２と、表示ユニット３と、第１および第２のヒンジ４，５とを備えている。本体ユニット２は、「第１のユニット」の一例である。表示ユニット３は、「第２のユニット」の一例である。
【００１２】
本体ユニット２は、メインボードを搭載した電子機器本体である。本体ユニット２は、本体筐体６を有する。本体筐体６は、「第１の筐体」の一例である。本体筐体６は、上壁７、下壁８、および周壁９を有し、扁平な箱状に形成されている。
【００１３】
下壁８は、電子機器１を机上に置いた時に、その机上面に向かい合う。下壁８は、机上面に対して略平行になる。上壁７は、下壁８との間に空間を空けて、下壁８と略平行（すなわち略水平）に広がる。上壁７には、キーボード１０が取り付けられている。周壁９は、下壁８に対して起立し、下壁８の周縁部と上壁７の周縁部との間を繋いでいる。
【００１４】
図１に示すように、周壁９は、前壁９ａ、後壁９ｂ、左側壁９ｃ、および右側壁９ｄを含む。前壁９ａは、本体筐体６の前端部１１において左右方向に延びており、電子機器１を使用するユーザーに向かい合う。後壁９ｂは、本体筐体６の後端部１２において、前壁９ａと略平行に左右方向に延びている。
【００１５】
左側壁９ｃおよび右側壁９ｄは、それぞれ本体筐体６の前後方向（奥行き方向）に延びている。左側壁９ｃは、前壁９ａの左端部と後壁９ｂの左端部とを繋いでいる。右側壁９ｄは、前壁９ａの右端部と、後壁９ｂの右端部とを繋いでいる。なお本明細書では、ユーザーから見て近い方を前、遠い方を後と定義する。また、ユーザーから見た状態を基準に左右を定義する。
【００１６】
本体筐体６は、本体ベース１３と、本体カバー１４とを有する。本体ベース１３は、下壁８と、周壁９の一部とを有している。本体カバー１４は、上壁７と、周壁９の一部とを有している。本体カバー１４が本体ベース１３に組み合わされることで、本体筐体６が形成されている。
【００１７】
図１に示すように、表示ユニット３は、表示筐体１６と、この表示筐体１６に収容された表示装置１７とを備えている。表示筐体１６は、「第２の筐体」の一例である。表示筐体１６は、表示装置１７の表示画面１７ａを外部に露出させる比較的大きな開口部１６ａを有する。
【００１８】
第１および第２のヒンジ４，５は、表示筐体１６に連結されている。上述のように、本体筐体６は、第１の端部である後端部１２と、第２の端部である前端部１１とを有している。後端部１２には、第１および第２のヒンジ４，５により、表示ユニット３が回動可能（開閉可能）に連結されている。表示ユニット３は、本体ユニット２を上方から覆うように倒された閉じ位置と、本体ユニット２に対して起こされる開き位置との間で回動可能である。
【００１９】
図２は、本体カバー１４を示す。図２に示すように、本体筐体６の上壁７は、キーボード載置部２０を有する。キーボード載置部２０は、支持壁２１、支持フレーム２２、および開口部２３を有する。なお図２では、説明の便宜上、支持壁２１および支持フレーム２２にハッチングを施してある。
【００２０】
支持壁２１は、例えばキーボード載置部２０の前端部の左隅部に設けられている。支持壁２１は、例えば上壁７と一体に形成され、合成樹脂製である。支持壁２１は、上壁７に繋がるとともに、上壁７に対して窪んでいる。図７に示すように、支持壁２１の上には、キーボード１０の一部が載置される。支持壁２１は、キーボード１０の下方で水平に延びている。支持壁２１は、平面状に広がり、キーボード１０に対向した表面２１ａ（上面）を有する。
【００２１】
開口部２３は、キーボード載置部２０において支持壁２１を除いた略全領域に設けられている。開口部２３は、本体筐体６の内部に開口している。支持フレーム２２は、開口部２３に設けられている。支持フレーム２２は、本体筐体６とは別体に形成された板金部材であり、例えばアルミニウム製である。支持フレーム２２は、上壁７の内面に固定され、支持壁２１と略同じ高さに位置する。
【００２２】
図８に示すように、支持フレーム２２の上には、キーボード１０の一部が載置される。支持フレーム２２は、キーボード１０の下方で水平に延びている。支持フレーム２２は、平面状に広がり、キーボード１０に対向した表面２２ａ（上面）を有する。支持フレーム２２の表面２２ａは、支持壁２１の表面２１ａと略同一平面上に位置する。
【００２３】
図２に示すように、支持フレーム２２は、開口部２３の短手方向の全幅、すなわちキーボード載置部２０の短手方向の全幅に亘っている。支持フレーム２２は、キーボード載置部２０の長手方向において、開口部２３の略中央部に設けられている。これにより、開口部２３は、開口部２３の左縁と支持フレーム２２との間に形成された第１の開口部２５と、開口部２３の右縁と支持フレーム２２との間に形成された第２の開口部２６とを含む。第１および第２の開口部２５，２６は、キーボード１０の下面に対向する。
【００２４】
図２、図７、図１２に示すように、キーボード載置部２０の後側には、キーボードホルダ載置部２８が設けられている。キーボードホルダ載置部２８は、キーボード載置部２０に対して盛り上がっている。キーボード１０は、キーボードホルダ載置部２８に取り付けられたキーボードホルダ２９によって固定される。
【００２５】
図３に示すように、本体筐体６の左端部には、第１のスピーカ３１、および冷却装置３２が収容されている。第１のスピーカ３１は、本体筐体６の後端部１２に設けられている。冷却装置３２は、第１のスピーカ３１よりも前側に設けられ、キーボード１０の下方に位置している。
【００２６】
冷却装置３２は、冷却ファン３３と、例えば２つのヒートシンク３４とを有する。冷却ファン３３は、ヒートシンク３４に向けて冷却風を吐出する。ヒートシンク３４は、それぞれ例えば複数のフィンを有したフィンユニットである。冷却ファン３３および２つのヒートシンク３４は、水平方向に並んでいる。なおヒートシンク３４は、ひとつでもよい。また冷却装置３２は、冷却ファン３３を有さずに、ヒートシンク３４単体によって形成されてもよい。
【００２７】
図３に示すように、本体筐体６の右端部には、第２のスピーカ３６、およびＯＤＤユニット３７が収容されている。第２のスピーカ３６は、本体筐体６の後端部１２に設けられている。ＯＤＤユニット３７は、第２のスピーカ３６よりも前側に設けられ、キーボード１０の下方に位置している。
【００２８】
図３に示すように、本体筐体６には、第１および第２のダイカストフレーム４１，４２が収容されている。第１および第２のダイカストフレーム４１，４２は、それぞれ「補強部材」の一例である。第１および第２のダイカストフレーム４１，４２は、例えばマグネシウム合金のダイカスト成形品であるが、これに限られるものではない。
【００２９】
図５は、第１のダイカストフレーム４１の全体を示す。第１のダイカストフレーム４１は、本体筐体６の左端部に設けられている。第１のダイカストフレーム４１は、例えばねじが挿通される複数の挿通孔４３を有し、本体筐体６にねじ止め固定されている。第１のダイカストフレーム４１は、ヒンジ固定部４４、スピーカ保持部４５、起立部４６、支持部４７、および補強部４８を有する。ヒンジ固定部４４は、本発明でいう「固定部」の一例である。
【００３０】
図４、図６、図７に示すように、ヒンジ固定部４４は、本体筐体６の後端部１２に設けられている。第１のヒンジ４は、固定部としてのヒンジ板金５１と、このヒンジ板金５１に設けられた挿通孔５２とを有する。ヒンジ固定部４４は、ヒンジ板金５１が載置される取付面５３と、取付面５３に設けられた挿通孔５４とを有する。挿通孔５４は、例えば本体ベース１３に設けられたねじ穴５０に連通している。
【００３１】
ヒンジ板金５１を取付面５３に載置し、挿通孔５２および挿通孔５４に通されたねじ５５が本体ベース１３のねじ穴に係合することで、第１のヒンジ４が第１のダイカストフレーム４１に固定されている。さらに同時に、第１のヒンジ４および第１のダイカストフレーム４１が本体ベース１３に固定されている。なお上記に代えて、第１のヒンジ４は、第１のダイカストフレーム４１のねじ穴にねじ止め固定されるようにしてもよい。
【００３２】
スピーカ保持部４５は、ヒンジ固定部４４に隣接して設けられている。スピーカ保持部４５は、第１のスピーカ３１が載置可能な板状に形成され、本体筐体６の下壁８に沿っている。スピーカ保持部４５は、第１のスピーカ３１よりも大きく形成され、第１のスピーカ３１が取り付けられている。
【００３３】
スピーカ保持部４５のキーボード１０の長手方向における幅は、ヒンジ固定部４４の同方向における幅と略同じである。上記幅を有してスピーカ保持部４５は、ヒンジ固定部４４と支持部４７との間を板状に繋いでいる。
【００３４】
図７に示すように、起立部４６は、支持部４７とスピーカ保持部４５との間に設けられている。起立部４６は、スピーカ保持部４５の前端部から上方に延びている。支持部４７は、起立部４６の上端部からスピーカ保持部４５とは反対方向に向いて水平に延びている。これにより、支持部４７は、スピーカ保持部４５よりも高い位置にあり、キーボード１０の直下に位置している。なお支持部４７は、支持壁２１および支持フレーム２２に比べて厚く、剛性が大きい。
【００３５】
図７、図８、図１４に示すように、支持部４７は、第１の開口部２５に配置され、支持壁２１および支持フレーム２２と略同じ高さに位置する。支持部４７の上には、キーボード１０の一部が載置される。支持部４７は、キーボード１０の下方で水平に延びている。支持部４７は、平面状に広がり、キーボード１０に対向した面を有する。すなわち支持部４７の表面４７ａ（上面）は、キーボード１０に対向し、接している。
【００３６】
支持部４７の表面４７ａは、支持壁２１の表面２１ａおよび支持フレーム２２の表面２２ａと略同一平面上に位置する。すなわち支持部４７は、キーボード１０が載置される面に露出し、キーボード１０を支持する。
【００３７】
より詳しく述べると、キーボード１０は、キーボード基板１０ａと、このキーボード基板１０ａに実装された複数のキー１０ｂとを有する。キーボード基板１０ａは、平面状の底面を有する。このキーボード基板１０ａの平面状の底面は、支持部４７の表面４７ａ、支持壁２１の表面２１ａ、および支持フレーム２２の表面２２ａに密着するように載置される。
【００３８】
図１４に示すように、支持部４７の周縁部の少なくとも一部は、第１の開口部２５の縁部２５ａ（開口縁）、すなわち支持壁４７の後端部に沿う形状を有する。本実施形態に係る支持部４７は、例えば第１の開口部２５と略同一の形状を有し、第１の開口部２５の略全域に嵌め込まれている。
【００３９】
図７、図８、図１４に示すように、より詳しく述べると、支持部４７は、支持壁２１の後端部に沿った形状を有し、支持壁２１との間に実質的な隙間を空けていない。支持部４７は、支持フレーム２２の左端部に沿った形状を有し、支持フレーム２２との間に実質的な隙間を空けていない。支持部４７の表面４７ａは、支持壁２１の表面２１ａおよび支持フレーム２２の表面２２ａと平面状に連続している。なお図１４では、説明の便宜上、第１および第２のダイカストフレーム４１，４２、支持壁２１、並びに支持フレーム２２にハッチングを施してある。
【００４０】
図５に示すように、第１のダイカストフレーム４１は、支持部４７の先端部（前端部）から支持壁２１の下方に突出した壁支持部５６を有する。図７に示すように、支持壁２１の端部は、壁支持部５６の上に載せられている。つまり壁支持部５６は、支持壁２１の端部を下方から支持している。
【００４１】
図５に示すように、壁支持部５６は、ねじ穴５７を有する。図２に示すように、支持壁２１の端部は、ねじ穴５７に連通する挿通孔５８を有する。ねじ５９を挿通孔５８からねじ穴５７に係合させることで、支持壁２１の端部が壁支持部５６に固定される。挿通孔５８は、ねじ５９のねじ頭を収容する座ぐり穴を有する。これにより、ねじ５９のねじ頭は、支持壁２１の表面２１ａから突出しない。ねじ５９は、支持壁２１に載置されたキーボード１０により覆い隠される。
【００４２】
図８に示すように、冷却装置３２（すなわち冷却ファン３３およびヒートシンク３４）は、本体筐体６の下壁８に対向している。支持部４７は、キーボード１０と冷却装置３２との間に板状に延びている。支持部４７は、冷却装置３２の上方を覆い、冷却装置３２を保護している。
【００４３】
図５に示すように、補強部４８は、支持部４７の左端部に沿って設けられている。補強部４８は、例えば支持部４７よりも厚く形成され、梁部として機能する。図８に示すように、補強部４８は、キーボード１０の下方を外れている。補強部４８は、キーボード載置部２０の左端部と、本体筐体６の左側壁９ｃとの間に設けられ、上壁７に対向している。
【００４４】
図５に示すように、補強部４８の先端部には、挿通孔６１を有した固定部６２が設けられている。固定部６２は、本体ベース１３に設けられたボスと、本体カバー１４に設けられたねじ穴との間に位置する。固定部６２は、本体ベース１３側からねじが挿通され、このねじが本体カバー１４のねじ穴に係合することで本体筐体６に固定されている。
【００４５】
図４および図６に示すように、本体筐体６には、第１のコネクタ６３が設けられている。第１のコネクタ６３は、本体筐体６の左側壁９ｃの開口部に設けられている。第１のコネクタ６３は、この第１のコネクタ６３に取り付けられた板金部材６４によって保持されている。板金部材６４は、第１のダイカストフレーム４１に固定されている。板金部材６４は、「取付部材」の一例である。
【００４６】
図１０は、第２のダイカストフレーム４２の全体を示す。第２のダイカストフレーム４２は、本体筐体６の右端部に設けられている。なお上記第１のダイカストフレーム４１および第１のヒンジ４と同じ機能を有する構成は、同一の符号を付してその説明を省略する。第２のダイカストフレーム４２は、例えばねじが挿通される複数の挿通孔４３を有し、本体筐体６にねじ止め固定されている。
【００４７】
第２のダイカストフレーム４２は、ヒンジ固定部７１、スピーカ保持部７２、起立部７３、支持部７４、および補強部７５を有する。ヒンジ固定部７１は、本発明でいう「固定部」の一例である。
【００４８】
図９、図１１、図１２に示すように、ヒンジ固定部７１は、本体筐体６の後端部１２に設けられている。ヒンジ固定部７１は、ヒンジ板金５１が載置される取付面５３と、取付面５３に設けられた挿通孔５４とを有する。ヒンジ固定部７１には、第１のヒンジ４と同様に、第２のヒンジ５が固定されている。
【００４９】
スピーカ保持部７２は、ヒンジ固定部７１に隣接して設けられている。スピーカ保持部７２は、第２のスピーカ３６が載置可能な板状に形成され、本体筐体６の下壁８に沿っている。スピーカ保持部７２は、第２のスピーカ３６よりも大きく形成され、第２のスピーカ３６が取り付けられている。
【００５０】
スピーカ保持部７２のキーボード１０の長手方向における幅は、ヒンジ固定部７１の同方向における幅よりも大きい。上記幅を有してスピーカ保持部７２は、ヒンジ固定部７１と支持部７４との間を板状に繋いでいる。
【００５１】
図１２に示すように、起立部７３は、支持部７４とスピーカ保持部７２との間に設けられている。起立部７３は、スピーカ保持部７２の前端部から上方に延びている。支持部７４は、起立部７３の上端部からスピーカ保持部７２とは反対方向に向いて水平に延びている。これにより、支持部７４は、スピーカ保持部７２よりも高い位置にあり、キーボード１０の直下に位置している。
【００５２】
図１２、図１３、図１４に示すように、支持部７４は、第２の開口部２６に配置され、支持フレーム２２と略同じ高さに位置する。支持部７４の上には、キーボード１０の一部が載置される。支持部７４は、キーボード１０の下方で水平に延びている。支持部７４は、平面状に広がり、キーボード１０に対向した面を有する。すなわち、支持部７４の表面７４ａ（上面）は、キーボード１０に対向し、接している。
【００５３】
支持部７４の表面７４ａは、支持フレーム２２の表面２２ａと略同一平面上に位置する。すなわち支持部７４は、キーボード１０が載置される面に露出し、キーボード１０を支持する。キーボード基板１０ａの平面状の底面は、支持部７４の表面７４に密着するように載置される。なお支持部７４は、支持フレーム２２に比べて厚く、剛性が大きい。支持壁２１は、キーボード１０の短手方向において第２の開口部２６の全幅に亘っている。
【００５４】
図１２に示すように、ＯＤＤユニット３７は、本体筐体６の下壁８に対向している。支持部７４は、キーボード１０とＯＤＤユニット３７との間に板状に延びている。支持部７４は、ＯＤＤユニット３７の上方を覆い、ＯＤＤユニット３７を保護している。
【００５５】
図１０に示すように、補強部７５は、支持部７４の右端部に沿って設けられている。補強部７５は、例えば支持部７４よりも厚く形成され、梁部として機能する。図１３に示すように、補強部７５は、キーボード１０の下方を外れている。補強部７５は、キーボード載置部２０の右端部と、本体筐体６の右側壁９ｄとの間に設けられ、上壁７に対向している。
【００５６】
図１０に示すように、補強部７５の先端部には、挿通孔６１を有した固定部６２が設けられている。固定部６２は、本体ベース１３に設けられたボスと、本体カバー１４に設けられたねじ穴との間に位置する。固定部６２は、本体ベース１３側からねじが挿通され、このねじが本体カバー１４のねじ穴に係合することで本体筐体６に固定されている。
【００５７】
図９および図１１に示すように、本体筐体６には、第２のコネクタ７７が設けられている。第２のコネクタ７７は、本体筐体６の右側壁９ｄの開口部に設けられている。第２のコネクタ７７は、第２のダイカストフレーム４２に直接に固定されている。
【００５８】
図３に示すように、第１および第２のダイカストフレーム４１，４２を外れた領域には、第３のコネクタ７８が設けられている。第３のコネクタ７８は、合成樹脂製の本体筐体６に固定されている。第１および第２のコネクタ６３，７７は、第３のコネクタ７８よりも大きく、プラグ（端子）の着脱時に第３のコネクタ７８よりも大きな負荷がかかる。
【００５９】
図１０に示すように、第２のダイカストフレーム４２には、盗難防止用のロック穴７９が設けられている。このロック穴７９は、例えばケンジントンロックに用いられる。
【００６０】
このような構成によれば、電子機器１の薄型化を維持しつつ、強度向上を図ることができる。すなわち上記構成では、ヒンジ４，５が固定されるダイカストフレーム４１，４２がキーボード１０の下方まで延ばされ、キーボード１０を支持する支持部４７，７４が設けられている。このため、例えば支持フレーム２２のような板金部材でキーボード１０の下の全部を覆う場合に比べて、剛性がより大きなダイカストフレーム４１，４２でキーボード１０が支持されるので、電子機器１の強度が向上している。
【００６１】
さらに、支持部４７，７４は、キーボード１０に対向した表面４７ａ，７４ａを有するとともに、キーボード１０が載置される面に露出され、キーボード１０に直接に接している。このような構成によれば、例えばキーボード１０の下方に支持壁があり、この支持壁のさらに下方に補強部材が配置された電子機器に比べて、電子機器１を薄くすることができる。
【００６２】
本体筐体６がキーボード１０に対向した開口部２５，２６を有し、支持部４７，７４が開口部２５，２６に配置され、支持部４７，７４の表面４７ａ，７４ａが支持壁２１の表面２１ａと略同一平面上に位置すると、キーボード１０を支持する支持面（載置面）が平面状に形成され、キーボード１０が安定して支持される。
【００６３】
例えば支持フレーム２２のような板金部材でキーボード１０の下の全部を覆う場合、キーボード１０を押すユーザーの押圧力が強ければ、支持フレーム２２が撓み、キーボード１０の下方に設けられた冷却装置３２やＯＤＤユニット３７に負荷が作用することがある。これは冷却装置３２やＯＤＤユニット３７の不具合の原因になることがある。
【００６４】
一方で、本実施形態では、冷却装置３２およびＯＤＤユニット３７の上方にダイカストフレーム４１，４２が設けられており、キーボード１０を押すユーザーの押圧力が多少強くても、ダイカストフレーム４１，４２はほとんど撓まず、冷却装置３２やＯＤＤユニット３７に負荷が作用しにくい。すなわちダイカストフレーム４１，４２によって冷却装置３２およびＯＤＤユニット３７が保護されている。
【００６５】
スピーカ保持部４５，７２が板状に形成され、ヒンジ固定部４４，７１と支持部４７，７４との間を繋いでいると、ヒンジ固定部４４，７１と支持部４７，７４との間が強固になっている。このため、支持部４７，７４に作用する外力を、ダイカストフレーム４１，４２の略全体で分散して受けることができる。これにより電子機器１の強度はさらに向上している。
【００６６】
コネクタ７７、またはコネクタ６３に取り付けられた板金部材６４がダイカストフレーム４１，４２に固定されていると、コネクタ６３，７７が本体筐体６内で強固に保持されている。特に、比較的小さな第３のコネクタ７８をダイカストフレーム４１，４２が存在しない本体筐体６の前部領域に配置するとともに、第３のコネクタ７８に比べて大きな負荷が作用しやすい第１および第２のコネクタ６３，７７を本体筐体６の後部領域に配置し、ダイカストフレーム４１，４２に固定することで、電子機器１の強度がさらに向上している。
【００６７】
比較的大きな負荷が作用しやすい盗難防止用のロック穴７９をダイカストフレーム４２に設けることで、上記負荷をダイカストフレーム４２で受けることができる。これは電子機器１の強度の向上に寄与する。
【００６８】
支持部４７の周縁部の少なくとも一部が、開口部２５の縁部２５ａに沿う形状をしていると、支持壁２１と開口部２５の縁部２５ａの間の隙間を小さくすることができる。これは電子機器１の強度の向上に寄与する。
【００６９】
ダイカストフレーム４１が支持壁２１の下方に延びた壁支持部５６を有すると、支持壁２１の端部が壁支持部５６によって支持されている。これにより、合成樹脂製で比較的剛性が小さな支持壁２１の撓みが抑制され、キーボード１０がより安定して支持される。支持壁２１の端部が壁支持部５６にねじ止めされていると、支持壁２１の撓みがより抑制される。
【００７０】
以上、本発明のひとつの実施形態に係る電子機器１について説明したが、本発明はこれらに限定されるものではない。この発明は上記実施形態そのままに限定されるものではなく、実施段階ではその要旨を逸脱しない範囲で構成要素を変形して具体化できる。
【００７１】
例えば、支持フレーム２２を省略するとともに、支持壁２１を大きく形成してもよい。つまり上壁７と一体である支持壁２１によって、キーボード載置部２０の略中央部を支持してもよい。また、支持壁２１および支持フレーム２２を省略し、キーボード載置部２０の全域または一部の領域にダイカストフレーム４１，４２の支持部４７，７４を設けてもよい。
【００７２】
以下、いくつかの電子機器を付記する。
【００７３】
一つの形態に係る電子機器は、本体筐体と、前記本体筐体に取り付けられたキーボードと、表示筐体に連結されたヒンジと、前記本体筐体に収容された補強部材とを具備する。補強部材は、前記ヒンジが固定された固定部と、前記キーボードに対向した面を有し、前記キーボードが載置された支持部とを備えた。
【００７４】
一つの形態に係る電子機器は、キーボードと、第１の筐体と、ヒンジと、補強部材とを具備する。前記第１の筐体は、前記キーボードに対向した開口部と、この開口部の縁部の少なくとも一部を規定するとともに、前記キーボードが載置された支持壁とが設けられている。前記ヒンジは、第２の筐体に連結されている。前記補強部材は、前記第１の筐体に収容され、前記ヒンジが固定された固定部と、前記第１の筐体の厚み方向に延びた第１の部分と、この第１の部分に支持されて前記キーボードとは反対側から前記開口部に挿入され、前記支持壁の表面と略同一平面上に位置して前記キーボードに対向した表面を有し、前記キーボードが載置された第２の部分とを備えている。
【００７５】
一つの形態に係る電子機器は、第１の筐体と、金属製の支持フレームと、ヒンジと、補強部材と、キーボードとを備えている。前記第１の筐体は、メインボードが収容されるとともに、開口部が設けられた第１の壁部と、この第１の壁部に設けられ、前記開口部の縁部の少なくとも一部を規定した支持壁と、前記メインボードに対して前記第１の壁部とは反対側に位置された第２の壁部とを有する。前記支持フレームは、前記第１の壁部に取り付けられ、前記開口部の一部を覆うとともに、前記支持壁の表面と略同一平面上に位置された表面を有する。前記ヒンジは、第２の筐体に連結されている。前記補強部材は、前記第１の筐体に収容され、前記ヒンジが固定された固定部と、前記固定部から前記第２の壁部に沿って延びた部分と、この第２の壁部に沿って延びた部分から前記第１の筐体の厚み方向に延びた第１の部分と、この第１の部分に支持されて前記支持フレームを外れた前記開口部の一部に挿入され、前記支持壁の表面及び前記支持フレームの表面と略同一平面上に位置された表面を有した第２の部分とを備えている。前記キーボードは、前記第１の筐体の支持壁、前記支持フレーム及び前記補強部材の第２の部分に載置され、前記支持壁、前記支持フレーム及び前記第２の部分に接している。
【符号の説明】
【００７６】
１…電子機器、４，５…ヒンジ、６…本体筐体、１０…キーボード、１６…表示筐体、２１…支持壁、２５，２６…開口部、３１，３６…スピーカ、３２…冷却装置、３７…ＯＤＤユニット、４１，４２…ダイカストフレーム（補強部材）、４４，７１…ヒンジ固定部、４５，７２…スピーカ保持部、４７，７４…支持部、５６…壁支持部、６３，７７…コネクタ、６４…板金部材、７９…盗難防止用のロック穴。
【図１】
2011138554.tif 000003
【図２】
2011138554.tif 000004
【図３】
2011138554.tif 000005
【図４】
2011138554.tif 000006
【図５】
2011138554.tif 000007
【図６】
2011138554.tif 000008
【図７】
2011138554.tif 000009
【図８】
2011138554.tif 000010
【図９】
2011138554.tif 000011
【図１０】
2011138554.tif 000012
【図１１】
2011138554.tif 000013
【図１２】
2011138554.tif 000014
【図１３】
2011138554.tif 000015
【図１４】
2011138554.tif 000016